(57)【要約】【課題】プラズマディスプレイの初期化電圧のばらつきマージン確保のため黒輝度が上昇するとともに、黒輝度の調整が困難である。【解決手段】走査電極駆動回路４３の走査電極に印加する電位を検出する電位検出回路４８を備え、走査電極駆動回路４３は初期化期間における第１の電位から緩やかに上昇する上りランプ波形を印加し、電位検出回路４８が第１の電位より高い第２の電位を検出すると走査電極駆動回路４３は第２の電位検出時から特定のタイミングで第１の期間を終了するプラズマディスプレイ装置。【選択図】図５
2010197902.tif 000002
【特許請求の範囲】
【請求項１】
初期化期間と書込み期間と維持期間とを有するサブフィールドを１フィールド期間内に複数設けるサブフィールド法により駆動され、走査電極と維持電極とからなる表示電極対を有する放電セルを複数備えたプラズマディスプレイパネルと、
あるサブフィールドの初期化期間における第１の期間に前記複数の走査電極に第１の電位から緩やかに電位が上昇する傾斜波形を印加する走査電極駆動回路と、
前記傾斜波形が第１の電位よりも高い第２の電位になったことを検出する電位検出回路と、
前記傾斜波形の印加期間を制御するタイミング生成回路を備え、
前記走査電極駆動回路は、前記タイミング生成回路において前記電位検出回路の前記第２電位検出時から生成するタイミングをもとに、前記傾斜波形を印加する第１の期間を終了することを特徴とするプラズマディスプレイの駆動装置。
【請求項２】
タイミング生成回路は、プラズマディスプレイパネルの温度を検出するパネル温度検出回路と、プラズマディスプレイパネルの通電時間を計測する通電時間計測回路とをさらに備え、前記パネル温度検出回路の検出結果と前記通電時間計測回路の計測結果にもとづいて前記第２の電位検出時からのタイミングを決定することを特徴とする請求項１に記載のプラズマディスプレイの駆動装置。
【請求項３】
タイミング生成回路は、１フィールド期間の整数倍の時間間隔で前記第２の電位検出時から生成するタイミングを切り替えることを特徴とする請求項１または請求項２に記載のプラズマディスプレイの駆動装置。
【請求項４】
走査電極と維持電極とからなる表示電極対を有する放電セルを複数備えたプラズマディスプレイパネルを、初期化期間と書き込み期間と維持期間とを有するサブフィールドを１フィールド期間内に複数設け、前記初期化期間における第１の期間に前記走査電極に第１の電位から緩やかに上昇する傾斜波形を印加して駆動するプラズマディスプレイパネルの駆動方法であって、
前記傾斜波形の第１の電位よりも高い第２の電位に到達することを検出するステップと、前記第２の電位に到達したときからのタイミングを決定するステップと、前記第２の電位到達時から前記タイミングに基づき前記傾斜波形を印加する前記第１の期間を終了するステップを備えるをことを特徴とするプラズマディスプレイパネルの駆動方法。
【請求項５】
プラズマディスプレイパネルの温度、プラズマディスプレイパネルへの累積通電時間、または前記プラズマディスプレイパネルの温度と前記プラズマディスプレイパネルへの累積通電時間によりタイミングを変更するステップをさらに備えることを特徴とする請求項４に記載のプラズマディスプレイパネルの駆動方法。
【請求項６】
１フィールド期間の整数倍の時間間隔でタイミングを変更することを特徴とする請求項４または請求項５に記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては一般にサブフィールド法が用いられている（例えば、特許文献１参照）。サブフィールド法では、１フィールド期間を複数のサブフィールドに分割し、それぞれのサブフィールドで各放電セルを発光または非発光させることにより階調表示を行う。各サブフィールドは、初期化期間、書込み期間および維持期間を有する。
【０００４】
初期化期間では、各走査電極に初期化波形を印加し、各放電セルで初期化放電を発生させる。それにより、各放電セルにおいて、続く書込み動作のために必要な壁電荷を形成する。
【０００５】
書込み期間では、走査電極に順次走査パルスを印加（以下、この動作を「走査」と記す）するとともに、データ電極には表示すべき画像信号に対応した書込みパルスを印加する（以下、これらの動作を総称して「書込み」と記す）。それにより、走査電極とデータ電極との間で選択的に書込み放電を発生させ、選択的に壁電荷を形成する。
【０００６】
続く維持期間では、表示させるべき輝度に応じた所定の回数の維持パルスを走査電極と維持電極とからなる表示電極対に交互に印加する。それにより、書込み放電による壁電荷形成が行われた放電セルで選択的に放電を起こし、その放電セルを発光させる。これにより画像表示を行う。
【０００７】
複数の走査電極は走査電極駆動回路により駆動され、複数の維持電極は維持電極駆動回路により駆動され、複数のデータ電極はデータ電極駆動回路により駆動される。
【特許文献１】特開２００６−０１８２９８号公報
【発明の開示】
【発明が解決しようとする課題】
【０００８】
一般的に、プラズマディスプレイの黒輝度は、初期化放電量により決定される。そのため、プラズマディスプレイの黒輝度低減のためには、初期化放電量を正確に調整する必要がある。
【０００９】
しかしながら、初期化放電を発生させる初期化期間の緩やかに上昇する傾斜波形(以下、上りランプ波形)の電位の変化率にはばらつきが生じやすく、正確に初期化放電量を調整することは困難であった。
【００１０】
本発明は、これらの課題に鑑みなされたものであり、初期化期間の上りランプ波形の電位を正確に制御することで、初期化放電量を正確に調整することで、黒輝度を低減し、高品位な画像表示が可能なプラズマディスプレイパネルの駆動装置および駆動方法ならびにそれを用いたプラズマディスプレイ装置を提供することを目的とする。
【課題を解決するための手段】
【００１１】
本発明のプラズマディスプレイ装置またはその駆動方法は、初期化期間と書込み期間と維持期間とを有するサブフィールドを１フィールド期間内に複数設けるサブフィールド法により駆動され、走査電極と維持電極とからなる表示電極対を有する放電セルを複数備えたプラズマディスプレイパネルと、あるサブフィールドの初期化期間における第１の期間に前記複数の走査電極に第１の電位から緩やかに電位が上昇する傾斜波形を印加する走査電極駆動回路と、前記傾斜波形が第１の電位よりも高い第２の電位になったことを検出する電位検出回路と、前記傾斜波形の印加期間を制御するタイミング生成回路を備え、前記走査電極駆動回路は、前記タイミング生成回路において前記電位検出回路の前記第２電位検出時から生成するタイミングをもとに、前記傾斜波形を印加する第１の期間を終了することを特徴とする。
【００１２】
これにより、上りランプ波形の電位の変化率にばらつきがある場合にも上りランプ波形の電位を制度良く制御できるため、初期化放電量のばらつきを抑えることが可能になる。
【００１３】
また本発明のプラズマディスプレイ装置またはその駆動方法は、タイミング生成回路は、プラズマディスプレイパネルの温度を検出するパネル温度検出回路と、プラズマディスプレイパネルの通電時間を計測する通電時間計測回路とをさらに備え、前記パネル温度検出回路の検出結果と前記通電時間計測回路の計測結果にもとづいて前記第２の電位検出時からのタイミングを決定することを特徴とするものである。
【００１４】
これにより、安定した維持放電を行うための初期化放電量がプラズマディスプレイパネルの温度、通電時間により変化しても、上りランプ波形の電位を最適な状態に制御できるため、安定した維持放電を行うための初期化放電が得られる。
【００１５】
また本発明のプラズマディスプレイ装置またはその駆動方法は、タイミング生成回路は、１フィールド期間の整数倍の時間間隔で前記第２の電位検出時から生成するタイミングを切り替えることを特徴とするものである。
【００１６】
これにより、第１の期間の途中でプラズマディスプレイパネルの温度、通電時間の変化による第１の期間のタイミング変更が行われることを防ぎ、また頻繁なタイミング変更による誤動作または誤放電の発生を防ぎ、画像表示品質を保つことが可能となる。
【発明の効果】
【００１７】
本発明によれば、初期化期間の上りランプ波形の電位変化率によらず、上りランプ波形の到達電位を正確に制御することにより、黒輝度の上昇を抑え、安定した維持放電に必要な初期化放電を得ることが可能なプラズマディスプレイ装置および、プラズマディスプレイパネルの駆動方法を提供することが可能となる。
【発明を実施するための最良の形態】
【００１８】
以下、本発明の実施の形態におけるプラズマディスプレイ装置について、図面を用いて説明する。
【００１９】
（実施の形態１）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２０】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２１】
ガラス製の背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２２】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２３】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２４】
図２は、本発明の一実施の形態におけるパネル１０の電極配列図である。パネル１０には、行方向に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。なお各電極の形状も図２に示すように直線だけに限らず、延伸方向に垂直方向に枝上の電極が出た形状であってもよい。
【００２５】
次に、パネル１０を駆動するための駆動電圧波形とその動作の概要について図３を用いて説明する。なお、本実施の形態におけるプラズマディスプレイ装置は、サブフィールド法、すなわち１フィールド期間を時間軸上で複数のサブフィールドに分割し、各サブフィールドに輝度重みをそれぞれ設定し、サブフィールド毎に各放電セルの発光・非発光を制御することによって階調表示を行うものとする。
【００２６】
このサブフィールド法では、例えば、１フィールドを１０のサブフィールド（第１ＳＦ、第２ＳＦ、・・・、第１０ＳＦ）で構成し、各サブフィールドはそれぞれ、例えば（１、２、３、６、１１、１８、３０、４４、６０、８０）の輝度重みを有する構成とすることができる。また、複数のサブフィールドのうち、１つのサブフィールドの初期化期間においては全ての放電セルに初期化放電を発生させる全セル初期化動作を行い、他のサブフィールドの初期化期間においては直前のサブフィールドで維持放電を行った放電セルに対して選択的に初期化放電を発生させる選択初期化動作を行うことで、階調表示に関係しない発光を極力減らしコントラスト比を向上させることが可能である。
【００２７】
そして、本実施の形態では、第１ＳＦの初期化期間では全セル初期化動作を行い、第２ＳＦ〜第１０ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００２８】
なお、本発明は、本実施の形態のように、サブフィールド数や各サブフィールドの輝度重みが上記の値に限定されるものではなく、また、画像信号等にもとづいてサブフィールド構成を切換える構成であってもよい。
【００２９】
図３は、本発明の一実施の形態におけるパネル１０の各電極に印加する駆動電圧波形図である。
【００３０】
なお、図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００３１】
また、図３には、２つのサブフィールドの駆動電圧波形、すなわち全セル初期化動作を行うサブフィールド（「全セル初期化サブフィールド」と呼称する）の第１サブフィールド（第１ＳＦ）と、選択初期化動作を行うサブフィールド（「選択初期化サブフィールド」と呼称する）の第２サブフィールド（第２ＳＦ）とを示す。なお、他のサブフィールドにおける駆動電圧波形は、維持期間における維持パルス数が異なる以外は第２ＳＦの駆動電圧波形とほぼ同様である。また、以下における走査電極ＳＣｉ、維持電極ＳＵｉ、データ電極Ｄｋは、各電極の中から画像データにもとづき選択された電極を表す。
【００３２】
まず、全セル初期化サブフィールドである第１ＳＦについて説明する。
【００３３】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から放電開始電圧以下の電圧Ｖｉ１を印加し、さらに電圧Ｖｉ１から、維持電極ＳＵ１〜維持電極ＳＵｎに対して放電開始電圧を超える電圧Ｖｉ２に向かって緩やかに上昇する上りランプ波形Ｌ１を印加する。
【００３４】
この上りランプ波形Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３５】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧Ｖｉ４に向かって緩やかに下降する下り傾斜波形電圧（以下、「下りランプ波形」と記す）Ｌ２を印加する。
【００３６】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルに対して初期化放電を行う全セル初期化動作が終了する。
【００３７】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００３８】
この書込み期間では、まず維持電極ＳＵ１〜維持電極ＳＵｎに電圧Ｖｅ２を、走査電極ＳＣ１〜走査電極ＳＣｎに電圧Ｖｃ（Ｖｃ＝Ｖａ＋Ｖｓｃｎ）を印加する。
【００３９】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。
【００４０】
また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。
【００４１】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４２】
このようにして、１行目に発光させるべき放電セルで書込み放電を起こして各電極上に壁電圧を蓄積する書込み動作を行う。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４３】
続く維持期間では、輝度重みに所定の輝度倍率を乗じた数の維持パルスを表示電極対２４に交互に印加して、書込み放電を発生した放電セルで維持放電を発生させて発光させる。
【００４４】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４５】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４６】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与えることにより、書込み期間において書込み放電を起こした放電セルで維持放電が継続して行われる。
【００４７】
そして維持期間の最後には、維持電極ＳＵ１〜維持電極ＳＵｎを０（Ｖ）に戻した後、走査電極ＳＣ１〜走査電極ＳＣｎにはベース電位となる０（Ｖ）から放電開始電圧を超える電圧Ｖｅｒｓに向かって上昇する傾斜波形電圧（以下、「消去ランプ波形」と呼称する）Ｌ３を印加する。すると、維持放電を起こした放電セルの維持電極ＳＵｉと走査電極ＳＣｉとの間で微弱な放電（以下、「消去放電」と呼称する）が発生する。この消去放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣｉおよび維持電極ＳＵｉ上の壁電圧は、走査電極ＳＣｉに印加した電圧と放電開始電圧の差、すなわち（電圧Ｖｅｒｓ−放電開始電圧）の程度まで弱められる。
【００４８】
その後、走査電極ＳＣ１〜走査電極ＳＣｎを０（Ｖ）に戻し、維持期間における維持動作が終了する。
【００４９】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ波形Ｌ４を印加する。
【００５０】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。このように第２ＳＦにおける初期化動作は、直前のサブフィールドの維持期間で維持動作を行った放電セルに対して初期化放電を行う選択初期化動作となる。
【００５１】
第２ＳＦの書込み期間においては、走査電極ＳＣ１〜走査電極ＳＣｎ、維持電極ＳＵ１〜維持電極ＳＵｎおよびデータ電極Ｄ１〜データ電極Ｄｍに対して第１ＳＦの書込み期間と同様の駆動波形を印加する。
【００５２】
第２ＳＦの維持期間においては、第１ＳＦの維持期間と同様に、走査電極ＳＣ１〜走査電極ＳＣｎと維持電極ＳＵ１〜維持電極ＳＵｎとにあらかじめ定められた数の維持パルスを交互に印加する。これにより、書込み期間において書込み放電を発生させた放電セルで維持放電を発生させる。
【００５３】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルス数が異なる以外は第２ＳＦと同様の駆動波形を印加する。
【００５４】
以上が、パネル１０の各電極に印加する駆動電圧波形の概要である。
【００５５】
次に、本実施の形態におけるプラズマディスプレイ装置の構成について説明する。図４は、本発明の一実施の形態におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、電位検出回路４８および各回路ブロックに必要な電源を供給する電源回路（図示せず）を備えている。
【００５６】
画像信号処理回路４１は、パネル１０の画素数に応じて、入力された画像信号ｓｉｇをサブフィールド毎の発光・非発光を示す画像データに変換する。
【００５７】
データ電極駆動回路４２は、画像信号処理回路４１から出力されるサブフィールド毎の画像データを、各データ電極Ｄ１〜データ電極Ｄｍに対応する書込みパルスに変換し、タイミング信号にもとづいて各データ電極Ｄ１〜データ電極Ｄｍに印加する。なお、データ電極駆動回路４２においては、画像データにもとづき多数のデータ電極を独立に駆動しなければならないので、本実施の形態においてデータ電極駆動回路４２は、複数のデータ電極を駆動することができる専用ＩＣ（以下、「データ電極駆動ＩＣ」と呼称する）４７を複数備えた構成としている。以下、本実施の形態では、データ電極の数ｍを「５７６０」（１９２０本×３（Ｒ、Ｇ、Ｂ）＝５７６０）とし、１個のデータ電極駆動ＩＣの出力数を「３６０」とし、データ電極駆動回路４２は、１６個のデータ電極駆動ＩＣ４７（データ電極駆動ＩＣ４７（１）〜データ電極駆動ＩＣ４７（１６））を備えているものとして説明する。しかし、これらの数値は単なる一実施例を挙げたものに過ぎず、本発明は、データ電極の数やデータ電極駆動ＩＣの出力数等が何ら上述した数値に限定されるものではない。
【００５８】
タイミング発生回路４５は、水平同期信号Ｈおよび垂直同期信号Ｖおよび電位検出回路４８からの出力にもとづき各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【００５９】
走査電極駆動回路４３は、初期化期間において走査電極ＳＣ１〜走査電極ＳＣｎに印加する初期化波形を発生するための初期化波形発生回路（図示せず）、複数の走査ＩＣを備え書込み期間において走査電極ＳＣ１〜走査電極ＳＣｎに印加する走査パルスを発生するための走査パルス発生回路（図示せず）、維持期間において走査電極ＳＣ１〜走査電極ＳＣｎに印加する維持パルスを発生するための第１の維持パルス発生回路（図示せず）を有する。そして、タイミング信号にもとづいて各走査電極ＳＣ１〜走査電極ＳＣｎをそれぞれ駆動する。
【００６０】
電位検出回路４８は、走査電極駆動回路４３の初期化波形発生回路の出力が所定の電位に到達したことを示す信号を発生し、タイミング発生回路４５へ供給する。電位検出回路４８が検出する電位は、例えば、図３に示す初期化期間の上りランプ波形Ｌ１の途中の電位である。
【００６１】
維持電極駆動回路４４は、初期化期間、書き込み期間に電圧Ｖｅ１、電圧Ｖｅ２を発生するための回路（図示せず）と、維持期間において維持電極ＳＵ１〜維持電極ＳＵｎに印加する維持パルスを発生するための第２の維持パルス発生回路（図示せず）を備え、タイミング信号にもとづいて維持電極ＳＵ１〜維持電極ＳＵｎを駆動する。
【００６２】
次に、タイミング発生回路４５の一部の回路について詳細に説明する。図５は、本発明の一実施の形態におけるタイミング発生回路４５の内部の回路ブロック図である。なお、図５には、本実施形態における初期化期間の上りランプ波形Ｌ１の到達電位を制御するための上りランプ波形制御回路５５に関する回路ブロックを示し、それ以外の回路ブロックは省略している。
【００６３】
上りランプ波形制御回路５５は、パネル温度検出部５０と、通電時間計測部５１と、遅延時間変更部５２と、上りランプ波形期間制御部５３とを有する。
【００６４】
遅延時間変更部５２は、パネル付近に設けられる温度検出手段(図示せず）からの情報からパネル温度検出部５０で検出されたパネル温度情報と、通電時間計測部５１で計測されたパネル通電時間の情報に基づいて、電位検出回路４８において検出された初期化期間の上りパルス波形Ｌ１の所定電位到達タイミング(時間）からのタイミングすなわち遅延時間を変更して出力する。
【００６５】
なお、本実施形態においては、遅延時間はパネル特性からあらかじめ算出された上りランプ波形の到達電位にもとづき遅延時間変更部５２で特定されるものであり、パネル温度検出部５０と、通電時間計測部５１からの情報によらずにタイミング（遅延時間）を特定することも可能であり、また特定したこのタイミング(遅延時間）をパネル温度検出部５０と、通電時間計測部５１からの情報により遅延時間変更部５２で変更することも可能である。
【００６６】
次に、上りランプ波形期間制御部５３は、初期化期間の上りランプ波形が走査電極ＳＣ１〜走査電極ＳＣｎに印加され始めてから電位検出回路４８において上りランプ波形Ｌ１が所定の電位Ｖｆに到達する時間と、この上りランプ波形の到達電位検出タイミングから、遅延時間変更部５２で変更された遅延時間により上りランプ波形が到達電位に達するまでの期間を算出し、終了する時間にタイミング信号を、初期化上りランプ期間制御信号として走査電極駆動回路４３の初期化波形発生回路（図示せず）に出力する。
【００６７】
次に、本実施形態におけるのぼりランプ制御の詳細動作について説明する。
【００６８】
図６は本発明の一実施の形態における初期化期間の上りランプ期間制御動作を説明する概略図である。
【００６９】
図６に示すように、第１ＳＦの初期化期間における走査電極駆動回路４３の初期化波形発生回路（図示せず）は、電圧Ｖｉ１から徐々に電圧を上げていく上りランプ電圧を走査電極ＳＣ１〜ＳＣｎに印加する。本実施形態では、１．３Ｖ／μＳで電圧を上昇させている。
【００７０】
電位検出回路４８は走査電極駆動回路４３からの信号により初期化波形発生回路（図示せず）が印加する上りランプ波形の電圧がＶｆに到達したことを検出すると、電位検出信号を生成する。電位検出信号は、例えば図６に示すように初期化期間開始と同時にＬｏｗレベルからＨｉレベルに切り替わり、また上りランプ波形電圧がＶｆに到達した時点で再びＬｏｗレベルに切り替わる信号であり、タイミング生成回路４５へ供給される。
【００７１】
タイミング生成回路４５の上りランプ波形制御回路５５の遅延時間変更部５２では、電位検出信号がＨｉレベルからＬｏｗレベルに切り替わった時間ｔ２と、パネル温度検出部５０からのパネル温度情報と、通電時間計測部５１からの通電時間情報とからあらかじめ決められた遅延時間を特定する。遅延時間変更部５２はこの遅延時間情報を上りランプ波形期間制御部５３に出力する。ランプ波形期間制御部５３では時間ｔ２から特定された遅延時間経過後に上りランプ期間制御信号をＨｉレベルからＬｏｗレベルに切り換える。ランプ波形期間制御部５３から出力される上りランプ期間制御信号は走査電極駆動回路４３に入力し、上りランプ期間制御信号がＬｏｗレベルに切り替わった時間ｔ３に走査電極ＳＣ１〜ＳＣｎに印加する電位の上昇を止める。本実施形態では走査電極駆動回路４３は電位Ｖｉ２で印加電圧の上昇を止め、走査電極ＳＣ１〜ＳＣｎの電位をＶｉ２に保持する。
【００７２】
これにより、Ｖｆ電圧検出後からの遅延時間後に上りランプ波形の上昇を止めて初期化期間の電圧Ｖｉ２を制御することができ、従来は上りランプ波形電圧を印加し始めた最初の電圧Ｖｉ１からの遅延時間で制御する場合に比べて、到達電圧Ｖｉ２のばらつきを大幅に小さくすることができる。図７は従来の上りランプ波形制御方法と本実施形態の上りランプ波形制御方法を比較するための図面である。
【００７３】
図７（ａ）の従来の方法では、走査電極駆動回路４３が電位Ｖｉ１から印加電位を上げていくときに上りランプ期間制御信号をＬｏｗレベルからＨｉレベルとし、このあと決められた遅延時間Ｄ２がたった時に上りランプ期間制御信号をＨｉレベルからＬｏｗレベルへ切り換える。走査電極駆動回路４３が印加する上りランプ波形の制御は、駆動回路やパネルの温度条件や、パネルの累積使用時間や累積通電時間によってばらつきが生じ、上りの傾きがこれらの条件によって変わってしまう。従って、上り開始時間から遅延時間Ｄ２後に上り制御を止めると、条件によっては図面のように到達電位がＶｉ２ｈやＶｉ２Ｌとなる場合があり、到達電位に大きなばらつきが生じることがある。
【００７４】
一方、図７（ｂ）に記す本実施形態では、電位検出回路４８が上りランプ波形の電圧が電位Ｖｆに到達したのを検知して電位検出信号をＨｉレベルからＬｏｗレベルに切り換えることで、その時からの遅延時間Ｄ１後に上りランプ波形の上昇を止めるので、電位Ｖｉ１からの上りランプ波形の傾きが温度条件や累積通電時間等の諸条件によりばらついたとしても、到達電位のＶｉ２ｈやＶｉ２Ｌにはそれほどの電位差がない。
【００７５】
このように本実施の形態で示すプラズマディスプレイ装置またはその駆動方法では、初期化期間の上りランプ波形の電位変化率(傾き）があっても上りランプ波形の到達電位を正確に制御することで、微弱放電を適正に実行することで黒輝度の上昇を抑えるとともに安定した維持放電に必要な初期化放電による壁電荷を得ることが可能となり、安定して高画質を提供することが可能となる。
【００７６】
本実施の形態では、タイミング生成回路は上りランプ波形制御回路５５に相当し、タイミングは遅延時間変更部５２が決定する遅延時間に相当する。
【００７７】
なお、本実施の形態においては、上りランプ期間制御信号がＨｉの期間にＳＣ１〜ＳＣｎに上りランプを印加すると説明したが、本発明は上りランプを制御する方法が何らこの方法に限定されるものではなく、例えば、Ｌｏｗの期間に上りランプを印加する構成であってもよい。
【００７８】
なお、本実施の形態においては、上りランプ電位検出信号を初期化開始時にＨｉ、上りランプがＶｆに到達した時点でＬｏｗのように生成と説明したが、本発明は、上りランプ電位検出信号の生成方法が何らこの方法に限定されるものではなく、例えば、上りランプがＶｆより高い電位のときにＨｉとする構成であってもよい。
【００７９】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（「ＡＢＢＡ電極構造」と呼称する）のパネルにおいても、有効である。
【００８０】
なお、本発明の実施の形態において示した具体的な各数値は、５０インチ、表示電極対数１０８０対のパネルの特性にもとづき設定したものであって、実施の形態における一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【００８１】
なお、本発明の実施の形態では、消去ランプ波形Ｌ３を走査電極ＳＣ１〜走査電極ＳＣｎに印加する構成を説明したが、消去ランプ波形Ｌ３を維持電極ＳＵ１〜維持電極ＳＵｎに印加する構成とすることもできる。あるいは、消去ランプ波形Ｌ３ではなく、いわゆる細幅消去パルスにより消去放電を発生させる構成としてもよい。
【産業上の利用可能性】
【００８２】
本発明は、初期化上りランプの電位を検出し、上りランプ期間を制御することで、黒輝度上昇を抑制することが可能となり、プラズマディスプレイ装置およびパネルの駆動方法として有用である。
【図面の簡単な説明】
【００８３】
【図１】本発明の一実施の形態におけるパネルの構造を示す分解斜視図
【図２】同パネルの電極配列図
【図３】同パネルの各電極に印加する駆動電圧波形図
【図４】本発明の一実施の形態におけるプラズマディスプレイ装置の回路ブロック図
【図５】本発明の一実施の形態におけるタイミング生成回路の回路ブロック図
【図６】本発明の一実施の形態における上りランプ波形を示す図
【図７】本発明の一実施の形態における上りランプ波形と従来の上りランプ波形とを比較するための図
【符号の説明】
【００８４】
１  プラズマディスプレイ装置
１０  プラズマディスプレイパネル
２１  前面板
２２  走査電極
２３  維持電極
２４  表示電極対
２５，３３  誘電体層
２６  保護層
３１  背面板
３２  データ電極
３４  隔壁
３５  蛍光体層
４１  画像信号処理回路
４２  データ電極駆動回路
４３  走査電極駆動回路
４４  維持電極駆動回路
４５  タイミング発生回路
４７  データ電極駆動ＩＣ
４８  電位検出回路
５０  パネル温度検出部
５１  通電時間計測部
５２  遅延時間変更部
５３  上りランプ波形期間制御部
５５  上りランプ波形制御回路
【図１】
2010197902.tif 000003
【図２】
2010197902.tif 000004
【図３】
2010197902.tif 000005
【図４】
2010197902.tif 000006
【図５】
2010197902.tif 000007
【図６】
2010197902.tif 000008
【図７】
2010197902.tif 000009